(57)【特許請求の範囲】
【請求項１】
車両の左右輪の差動を制限する差動制限機構と、前記差動制限機構を制御する制御手段とを有する車両において、
ドライバが入力する前記車両の操舵角を検出する操舵角検出手段と、
ドライバが入力する前記車両の操舵トルクを検出する操舵トルク検出手段と、を有し、
前記制御手段は、前記操舵角検出手段により検出した操舵角の方向と、前記操舵トルク検出手段により検出した操舵トルクの方向とが異なった際に、前記差動制限機構の制御量を減少させる
ことを特徴とする、差動制限機構の制御装置。
【請求項２】
車両の左右輪の差動を制限する差動制限機構と、前記差動制限機構を制御する制御手段とを有する車両において、
ドライバが入力する前記車両の操舵角速度を検出する操舵角速度検出手段と、
ドライバが入力する前記車両の操舵トルクを検出する操舵トルク検出手段と、を有し、
前記制御手段は、前記操舵角速度検出手段により検出した操舵角速度の方向と、前記操舵トルク検出手段により検出した操舵トルクの方向とが異なった際に、前記差動制限機構の制御量を減少させる
ことを特徴とする、差動制限機構の制御装置。
【請求項３】
前記操舵角の中立領域又は前記操舵角速度のゼロ近傍の領域に、前記制御量の減少を行なわない不感帯領域が設けられている
ことを特徴とする、請求項１又は２記載の差動制限機構の制御装置。
【請求項４】
前記車両の各輪制動力に差を付ける制動力調整機構と、
前記車両の各輪の空転を検出する各輪空転検出手段と、をさらに有し、
前記制御手段は、前記差動制限機構の制御量を減少した際に、前記各輪空転検出手段により前記車両のいずれかの車輪の空転を検出すると、空転した車輪に対し前記制動力調整機構により制動力を付加させる
ことを特徴とする、請求項１〜３の何れか１項に記載の差動制限機構の制御装置。
【請求項５】
前記制御手段は、前記空転した車輪に対し前記制動力調整機構により制動力を付加させる際に、前記空転車輪の空転状態に応じた大きさの制動力を付加させる
ことを特徴とする、請求項４記載の差動制限機構の制御装置。
【発明の詳細な説明】
【技術分野】
【０００１】
本発明は、車両の差動制限機構の制御装置に関するものである。
【背景技術】
【０００２】
車両（自動車）には、左右輪の差動を許容する差動機構（Differential）に、差動を制限する差動制限機構（ＬＳＤ：Limited Slip Differential）を備えたものがあり、このような車両では、ＬＳＤにより、左右輪の一方の車輪が無負荷になった際の空転を防止し、他方の車輪へ駆動力を伝達することができる。
このようなＬＳＤには、トルク感応式、回転感応式、電子制御式の３つの種類がある。トルク感応式はエンジンからのトルクに応じてＬＳＤが作動し、回転感応式は左右輪の回転速度差に応じてＬＳＤが作動する。そして、電子制御式はＬＳＤの制御器により任意のタイミングでＬＳＤを作動させることができる。
【０００３】
いずれのＬＳＤにおいても、クラッチやギア、オイルなどの摩擦力により、左右輪の回転速度の速い方から遅い方へ駆動力を移動させることで、車輪の空転（左右の回転速度の著しい差）を抑えることができ、悪路などの加速性の向上が期待できる。
また、車輪が空転していない状態でのＬＳＤの作動においては、回転速度の速い旋回外輪から、回転速度の遅い旋回内輪へ駆動力が移動する、即ち、旋回を抑える方向に駆動力が移動するため、直進安定性の向上が期待できる。
【０００４】
しかし、フロントデフにＬＳＤを備える車両では、ＬＳＤの作動による左右輪の駆動力の違いからトルクステアが発生し、ドライバの感じる操舵トルクが変化する。例えば、ＬＳＤの作動により、旋回外輪から旋回内輪へ駆動力が移動する場合（旋回外輪が空転した場合）は、操舵トルクが増加しステアリング操作が重くなる。また、ＬＳＤの作動により、旋回内輪から旋回外輪へ駆動力が移動する場合（旋回内輪が空転した場合）は、操舵トルクが減少し、ステアリング操作が軽くなる。よって、フロントデフにＬＳＤを備える車両においては、ＬＳＤの作動によってステアリング操作が重くなったり、軽くなったりするために、操縦性が悪化するという課題もある。
【０００５】
この点、特許文献１には、かかる課題に着目して、フロントデフにＬＳＤを備える車両において、旋回走行中やスプリット路走行中等にＬＳＤが作動した場合のステアリング操舵力の増加を車両の走行条件に応じて適宜抑制し、運転者のステアリング操作時の違和感の解消を図る技術が提案されている。この技術では、ＬＳＤの作動を検知する手段と、車両の左右の前輪の路面への接地状態を検知する手段と、両検知手段からの検知結果に基づいて操舵補助力を制御する制御手段とを備え、制御手段は、ＬＳＤの作動中に旋回内側の前輪が一旦空転し、その後再度路面に接地したことを検知したら、操舵補助力を接地前に比べて大きく設定する。
【先行技術文献】
【特許文献】
【０００６】
【特許文献１】特許第３４０１３３６号公報
【発明の概要】
【発明が解決しようとする課題】
【０００７】
上述のように、左右輪に回転数差が生じているときに、ＬＳＤを作動させると、高速回転していた車輪側から低速回転していた車輪側に駆動力が移動し、左右輪の駆動力差によるトルクステアが発生するため、これに起因して操舵反力変化が発生し、操舵トルクに違和感が生じてしまう。
特に、旋回内輪の空転時にＬＳＤを強く作動させた場合、旋回外輪のトルクが増加して旋回方向へのトルクステアが発生するため、ドライバに要求される旋回方向への操舵トルクが大きく減少し、むしろ、旋回方向と逆向きの操舵トルクがドライバに要求される。つまり、旋回方向に勝手に回るステアリングホイールを、ドライバは抑える方向に操舵トルクを発生しなければならず、ドライバに対する違和感が大きくなってしまう。そのため、ＬＳＤの作動量を任意に制御できる電子制御式ＬＳＤにおいて、操舵性の悪化を防ぐために、電子制御式ＬＳＤの制御量を大きくすることができないのが現状である。
【０００８】
特許文献１の技術によって、これを抑制することも考えられるが、ＬＳＤを強く作動させて生じた大きな操舵反力変化に対応するには、大きな操舵補助力を精度よく付加することのできる高出力な操舵補助装置が必要になる。このため、特許文献１の操舵補助装置だけで操舵反力変化を抑制することは困難であると考えられる。
本発明は、かかる課題に鑑みて、電子制御式ＬＳＤの制御の観点から創案されたもので、要求されるＬＳＤ作動と、ＬＳＤの作動により生じる操舵反力変化に起因して発生する操舵違和感の抑制とをバランスさせることができるようにした、差動制限機構の制御装置を提供することを目的とする。
【課題を解決するための手段】
【０００９】
上記目的を達成するために、本発明の差動制限機構の制御装置は、車両の左右輪の差動を制限する差動制限機構と、前記差動制限機構を制御する制御手段とを有する車両において、ドライバが入力する前記車両の操舵角を検出する操舵角検出手段と、ドライバが入力する前記車両の操舵トルクを検出する操舵トルク検出手段と、を有し、前記制御手段は、前記操舵角検出手段により検出した操舵角の方向と、前記操舵トルク検出手段により検出した操舵トルクの方向とが異なった際に、前記差動制限機構の制御量（差動制限量）を減少させることを特徴としている。
【００１０】
また、もう１つの本発明の差動制限機構の制御装置は、車両の左右輪の差動を制限する差動制限機構と、前記差動制限機構を制御する制御手段とを有する車両において、ドライバが入力する前記車両の操舵角速度を検出する操舵角速度検出手段と、ドライバが入力する前記車両の操舵トルクを検出する操舵トルク検出手段と、を有し、前記制御手段は、前記操舵角速度検出手段により検出した操舵角速度の方向と、前記操舵トルク検出手段により検出した操舵トルクの方向とが異なった際に、前記差動制限機構の制御量（差動制限量）を減少させることを特徴としている。
【００１１】
また、前記操舵角の中立領域又は前記操舵角速度のゼロ近傍の領域に、前記制御量（駆動力差）の減少を行なわない不感帯領域が設けられていることが好ましい。
また、前記車両の各輪制動力に差を付ける制動力調整機構と、前記車両の各輪の空転を検出する各輪空転検出手段と、をさらに有し、前記制御手段は、前記差動制限機構の制御量を減少した際に、前記各輪空転検出手段により前記車両のいずれかの車輪の空転を検出すると、空転した車輪に対し前記制動力調整機構により制動力を付加させることが好ましい。
【００１２】
また、前記制御手段は、前記空転した車輪に対し前記制動力調整機構により制動力を付加させる際に、前記空転車輪の空転状態に応じた大きさの制動力を付加させることが好ましい。
【発明の効果】
【００１３】
本発明の一つ目の差動制限機構の制御装置によれば、制御手段は、操舵角検出手段により検出した操舵角の方向と、操舵トルク検出手段により検出した操舵トルクの方向とが異なった際に、差動制限機構の制御量（差動制限量）を減少させる。このため、差動制限機構の作動により生じる操舵角の方向と操舵トルクの方向との不一致を抑制することができる。例えば、定常旋回中に旋回内輪が空転し差動制限機構が作動した場合、旋回外輪の駆動トルクが増加し、車両の旋回を促す方向にトルクステアが発生する。この時、ドライバはステアリングホイールを保舵するために、旋回方向と逆向きの操舵トルクを発生させる必要がある。これに対し、差動制限機構の制御量を減少させることで、操舵角の方向とドライバにより入力される操舵トルクの方向との不一致を抑制し、操舵フィーリングを良好に維持することができる。
【００１４】
また、もう一つの本発明の差動制限機構の制御装置によれば、制御手段は、操舵角速度検出手段により検出した操舵角速度の方向と、操舵トルク検出手段により検出した操舵トルクの方向とが異なった際に、差動制限機構の制御量（差動制限量）を減少させる。このため、差動制限機構の作動により生じる操舵角速度の方向と操舵トルクの方向との不一致を抑制することができる。例えば、スラローム走行中に差動制限機構が作動し、操舵角速度の方向と、ドライバにより入力される操舵トルクの方向とが異なる場合に、差動制限機構の動作制限によりトルクステアの発生を抑え、操舵フィーリングを良好に維持することができる。
【００１５】
また、操舵角の中立領域又は操舵角速度のゼロ近傍の領域に、制御量（駆動力差）の減少を行なわない不感帯領域が設けられているため、中立保舵感又は舵角保舵感を持たせることができる。また、制御の安定性を向上することができる。
また、制御手段は、差動制限機構の制御量を減少した際に、車両のいずれかの車輪の空転を検出すると、空転した車輪に対し制動力調整機構により制動力を付加させることにより、差動制限の不足分を補うことができる。
【００１６】
また、空転車輪の空転状態に応じた大きさの制動力を付加させることにより、空転車輪の回転を適正に制御することができる。
【図面の簡単な説明】
【００１７】
【図１】本発明の第１実施形態にかかる車両の駆動系の構成図である。
【図２】本発明の第１実施形態にかかる操舵角θと操舵トルクτとをパラメータにした差動制限機構の制限制御領域を説明する図である。
【図３】本発明の第１実施形態にかかる差動制限機構の制御装置の制御ブロック図である。
【図４】本発明の第１実施形態にかかる差動制限機構の制御装置による制御を説明するフローチャートである。
【図５】本発明の第２実施形態にかかる操舵角速度ｄθと操舵トルクτとをパラメータにした差動制限機構の制限制御領域を説明する図である。
【図６】本発明の第２実施形態にかかる差動制限機構の制御装置の制御ブロック図である。
【図７】本発明の第２実施形態にかかる差動制限機構の制御装置による制御を説明するフローチャートである。
【発明を実施するための形態】
【００１８】
以下、図面を用いて本発明の実施形態について説明する。
〈第１実施形態〉
図１〜図４は、本発明の第１実施形態にかかる差動制限機構の制御装置を示すもので、図１はその車両の駆動系の構成図、図２はその差動制限機構の制限制御領域を説明する図、図３はその制御ブロック図、図４はその制御を説明するフローチャートである。これらの図を参照して説明する。
〔車両の駆動系の構成〕
図１に示すように、本実施形態にかかる車両は、車両の前部にエンジン（内燃機関）１を備えると共に、前輪４ＦＲ，４ＦＬを駆動輪として構成された前輪駆動車（ＦＦ車）として構成されている。エンジン１の出力軸１ａには、変速機（トランスミッション）２が接続され、変速機２の出力軸２ａに差動制限制御付きの差動機構（Differential）３を介して前輪４ＦＲ，４ＦＬが接続されている。
【００１９】
この例では、差動機構３には、デフケース３１に装備された入力ベベルギア３２，３２と、入力ベベルギア３２，３２と噛み合い右前輪４ＦＲ，左前輪４ＦＬにそれぞれ結合された出力ベベルギア３３Ｒ，３３Ｌとからなるベベルギア式のものが使われている。また、変速機２の出力軸２ａに装備されたベベルギア２ｂは、デフケース３１に装備されたリングギア３１ａと噛合している。
【００２０】
これにより、エンジン１の回転は、エンジン出力軸１ａから変速機２に伝達され変速されて変速出力軸２ａから、ギア２ｂ，３１ａを通じてデフケース３１に伝達され、デフケース３１が回転する。このデフケース３１の回転は、入力ベベルギア３２，３２及び出力ベベルギア３３Ｒ，３３Ｌを通じて左右の駆動輪である前輪４ＦＲ，４ＦＬに差動を許容して伝達される。
【００２１】
なお、この差動機構３には、例えば遊星ギア式のもの等を用い他の方式のものを用いても良い。
差動機構３に備えられる差動制限機構（ＬＳＤ：Limited Slip Differential）５は、片輪（ここでは右前輪）４ＦＲとデフケース３１との間に介装され、本実施形態では電磁式の多板クラッチ５１が用いられ、制御量（例えば制御電流）に応じて発生する磁力に応じて、多板クラッチ５１を係合し、片輪（右前輪）４ＦＲとデフケース３１との間の差動を制限する。右前輪４ＦＲとデフケース３１との間の差動が制限されれば、当然ながら、左前輪４ＦＬとデフケース３１との間の差動も制限されることになる。
【００２２】
ＬＳＤ５を制御するためには、ＬＳＤコントローラ１１が装備され、ＬＳＤコントローラ１１は、左右の駆動輪４ＦＲ，４ＦＬのうち何れかが空転状態になったら、ＬＳＤ５を作動させ差動を制限する。すなわち、ＬＳＤ５は、電子制御式ＬＳＤとして構成される。
ＬＳＤコントローラ１１では、この駆動輪の空転の判定は、各車輪の車輪速を検出する車輪速センサ２１ＦＲ〜２１ＲＬの検出結果に基づいて、従動輪である４ＲＲ，４ＲＬから基準の車輪速（車体速）を得て、駆動輪４ＦＲ，４ＦＬの車輪速とこの基準の車輪速とを比較して行なう。つまり、後輪４ＲＲ，４ＲＬの車輪速の平均値等を基準車輪速とし、駆動輪４ＦＲ，４ＦＬの何れかの車輪速が基準の車輪速よりも予め設定された車輪速差以上に大きくなったら空転状態であると判定する。ただし、旋回時には、旋回半径に応じて、旋回内輪の車輪速は小さくなり、旋回外輪の車輪速は大きくなるので、この点は補正して判定する。
【００２３】
また、ＬＳＤ５による差動制限は、車輪の空転状態の程度（例えば、空転車輪の車輪速／基準の車輪速）に応じた制御量で行なう。
ＬＳＤ５を作動させる条件としては、空転状態の場合に替えて、左右駆動輪に所定以上のトルク差が発生した場合や、左右輪の回転数差が所定値以上になった場合としてもよい。或いは、空転状態，所定以上のトルク差，所定値以上の回転数差の各条件の中の複数を設けて、これらのいずれかが成立したらＬＳＤ５を作動させるものと設定しても良い。
【００２４】
また、左右駆動輪のトルク差については、各車輪のトルクを検出して差分を算出して得るほか、ギアの歯面抵抗等のトルク差に応じて生じる機械的に特性の変化に応じて多板クラッチ５１が係合するように構成することで実現できる。
左右駆動輪の回転数差については、各車輪の車輪速を検出して差分を算出して得ることができる。この場合も、旋回時には、旋回半径に応じて、旋回内輪の車輪速は小さくなり、旋回外輪の車輪速は大きくなるので、この点は補正して判定する。
【００２５】
また、ＬＳＤ５による差動制限は、上記の車輪の空転状態の程度に応じた制御量で行なう場合と同様に、左右駆動輪のトルク差の程度に応じた制御量で行なうこと、或いは、左右駆動輪の回転数差の程度に応じた制御量で行なうことも好ましい。
【００２６】
〔車両の制動系の構成〕
前輪４ＦＲ，４ＦＬ及び後輪４ＲＲ，４ＲＬの各ブレーキ機構６ＦＲ，６ＦＬ，６ＲＲ，６ＲＬは、それぞれ独立して作動を制御できるようになっている。つまり、各ブレーキ機構６ＦＲ〜６ＲＬは車輪と共に回転するブレーキロータ６ａとブレーキロータ６ａを挟み込み係止するブレーキキャリパ６ｂとを有し、ブレーキキャリパ６ｂが各車輪のブレーキ機構毎に独立して作動を制御される。なお、ブレーキ機構６ＦＲ〜６ＲＬを統合して制動力調整機構とも呼ぶ。
各ブレーキ機構６ＦＲ〜６ＲＬを制御するために、ブレーキコントローラ１２が装備され、ブレーキコントローラ１２は、通常は、ドライバの操作するブレーキペダルの踏み込み量に応じて、各車輪４ＦＲ〜４ＲＬをブレーキペダル操作に応じて各輪同時に制動するが、車両の旋回時等に車体のヨー方向制御（ステア制御）が必要な場合には、各車輪４ＦＲ〜４ＲＬを個別に制動し、車体のヨー運動を制御する。
【００２７】
〔車両の操舵系の構成〕
前輪４ＦＲ，４ＦＬは、ステアリングホイール（図示略）のシャフト（図示略）先端に接続されたラックアンドピニオン等の機構を通じて、ステアリングホイールの操舵角θに応じて転舵される。
また、ステアリングホイールの操舵角θを検出する操舵角検出手段としての操舵角センサ２２を備え、操舵角センサ２２により検出された操舵角θは、車両ＥＣＵ１０に入力される。同様に、ステアリングホイールを通じたシャフトの操舵トルクτを検出する操舵トルク検出手段としての操舵トルクセンサ２３を備え、操舵トルクセンサ２３により検出された操舵トルクτは、車両ＥＣＵ１０に入力される。
【００２８】
〔ＬＳＤ統合制御〕
ところで、図２は、操舵角θに対して、取りうるドライバの操舵トルクτと、その際のＬＳＤの動作の是非を示している。
なお、図２に実線で示す曲線は、操舵角θに対応した操舵トルクτの基準相関関係を示している。この基準相関関係は、ある操舵角θを保舵するのに必要な操舵トルクτ（以下、基準保舵トルクという）の一般的な対応関係を示したものである。ドライバは、ステアリングホイールを通じて、操舵角θに応じたこの基準保舵トルクを操舵トルクτとして加えると、通常、操舵系が中立復帰しようとする力が操舵反力となり、この操舵反力と基準保舵トルクとが釣り合って舵角が維持される。操舵角θを増大させる切り増し時には、ドライバは基準保舵トルクよりも大きなトルクを加える必要があり、操舵角θを減少させる切り戻し時には、ドライバは基準保舵トルクよりも小さなトルクを加えることになる。後者の切り戻し時には、操舵角θの方向に加えるトルクを減少させるが、通常は、負のトルク、つまり、操舵角θの方向と逆向きのトルクを加えて速やかに切り戻しを行なう。基準相関関係は、操舵角θの大きさが大きくなるほど操舵トルクτの大きさも増大し、操舵角θの大きさがある程度大きくなると操舵トルクτの大きさは頭打ちになる。また、この相関関係は車速に依存しても変化する。
【００２９】
ここで、操舵トルクτと操舵角θの方向が等しい状態から、ＬＳＤ５の作動によりトルクステアが発生することで操舵反力が変化して、反力方向が反転する場合があり、この場合、ドライバに要求される操舵トルクの方向が反転して、図２のＬＳＤ低減領域の状態となり、ドライバはステアリングホイールに加えるトルクを通常とは逆向きにして加えなければならず（図２のＬＳＤトルク低減領域）、操舵フィーリングが悪化する。
【００３０】
そこで、本装置では、図３に示すように、制御手段としての車両ＥＣＵ（車両電子制御ユニット）１０が、操舵トルクτの方向と操舵角θの方向とが異なった運転領域では、ＬＳＤ５の制御量を減少させるようにしている。ただし、図示するように、操舵トルクτの方向と操舵角θの方向とが異なった運転領域であっても、操舵角θが小さい領域では、中立保舵感を重視し、ＬＳＤ５の制御量は制限されない。すなわち、操舵角θが一定以上であり、かつ、操舵トルクτの方向と操舵角θの方向とが異なった際にのみ、ＬＳＤ５の制御量を減少させるようになっている。
【００３１】
つまり、車両ＥＣＵ１０は、入力される操舵角センサ２２により検出された操舵角θを
０と比較して符号（正負）を判定し、操舵トルクセンサ２３により検出された操舵トルクτを０と比較して符号（正負）を判定し、操舵角θの符号と操舵トルクτの符号とが不一致であるかを判定する。これとともに、操舵角θの絶対値が閾値（θｔｈ）以上かどうかを判定する（つまり、ＬＳＤトルク低減領域であるか否かを判定する）。操舵角θの符号と操舵トルクτの符号とが不一致であり、且つ、操舵角θの絶対値が閾値（θｔｈ）以上であれば、ＬＳＤ低減領域であると判定する。ＬＳＤトルク低減判定時には、ＬＳＤ５の制御量（差動制御量）に制御ゲイン（＜１）を乗算し減少させるようにしている。
【００３２】
また、車両ＥＣＵ１０は、このＬＳＤ低減判定時のＬＳＤ５の制御量を抑制している際に、各車輪速センサ２１ＦＲ〜２１ＲＬで検出した車輪速からいずれかの車輪速が空転していることが判明（各輪の空転を検出する機能を各輪空転検出手段とする）した場合には、空転した車輪に対して制動力調整機構（ブレーキ機構）６ＦＲ〜６ＲＬにより制動力を付加させる。この制動力を付加させる際には、空転車輪の空転状態に応じた制動力を付加させる。
【００３３】
〔作用及び効果〕
本発明の第１実施形態にかかる差動制限の制御装置は、上述のように構成されており、例えば、図４に示すような制御が車両ＥＣＵ１０により行なわれる。
まず、ドライバの入力する操舵角θ及び操舵トルクτを読み込む（ステップＳ１０）。そして、操舵角θの符号と操舵トルクτの符号とが不一致かどうかを判定し（ステップＳ１１）、且つ、操舵角θの絶対値が閾値（θｔｈ）よりも大きいかどうかを判定する（ステップＳ１２）。操舵角θの符号と操舵トルクτの符号とが不一致であり、且つ、操舵角θの絶対値が閾値（θｔｈ）よりも大きい場合、ＬＳＤ５を通常よりも制御量を低下させて動作させ（ステップＳ１３）、操舵角θと操舵トルクτの符号が一致、または、操舵角θの絶対値が閾値（θｔｈ）よりも小さい場合、ＬＳＤ５を通常の制御量で動作させる（ステップＳ１４）。
【００３４】
また、ＬＳＤ５を動作制限した場合には、いずれかの車輪が空転しているかを判定し（ステップＳ１５）、空転車輪があれば空転した車輪に対して制動力調整機構（ブレーキ機構）６ＦＲ〜６ＲＬによりブレーキを作動させ（ステップＳ１６）、制御フローを終了する（ＥＮＤ）。
【００３５】
本発明の第１実施形態にかかる差動制限の制御装置は、上述のように構成され、作用するため、以下のような効果を奏する。
車両ＥＣＵ１０は、操舵角センサ２２により検出した操舵角θの方向と、操舵トルクセンサ２３により検出した操舵トルクτの方向とが異なった際に、ＬＳＤ５の制御量（差動制限量）を減少させるため、トルクステアによる極端な操舵反力変化を抑制することができ、操舵フィーリングを良好に維持することができる。
例えば、定常旋回中にＬＳＤ５の差動制限により、ドライバが操舵角θの方向と異なる方向に操舵トルクτを発生しなければならないトルクステアが発生した場合、ドライバに大きな違和感を与える。
【００３６】
また、中立に戻る方向にトルクを加えるような切り戻し操舵を行なって、操舵角θの方向と操舵トルクτの方向との不一致が生じた際に、ＬＳＤ５による差動制限を加えると、ドライバに違和感を与えることがある。つまり、ドライバは、切り増し操舵時の力を入れる操舵に対し、切り戻し操舵時には、操舵する力を抜くため、操舵トルクの変化に敏感であり、また、切り戻し操舵時には、加速を伴うこともあり、操舵トルクの変化に敏感である。
【００３７】
これに対して、操舵角θの方向と操舵トルクτの方向とが異なる場合、ＬＳＤ５の制御量（差動制限量）を減少させるので、上記の操舵反力変化を抑制することができ、操舵フィーリングを良好に維持することができる。
もちろん、切り戻し操舵時にも、操舵角θの方向と操舵トルクτの方向とが同じ場合がある。つまり、操舵トルクτを基準保舵トルクよりも減少させて、ゆっくりと切り戻しを行なう低周波数領域の切り戻し操舵がある。この時は、ＬＳＤ５の動作制限は行なわないので、ＬＳＤ５による差動制限を十分に利用して、高速走行時の安定性及び加速性等を向上することができる。
【００３８】
また、操舵角θの中立領域に、ＬＳＤ５の制御量（駆動力差）の減少を行なわない不感帯領域が設けられているため、中立保舵感を持たせることができる。また、本制御の安定性を向上することができる。
また、車両ＥＣＵ１０は、ＬＳＤ５の制御量を減少した際に、車両のいずれかの車輪の空転を検出すると、空転した車輪に対し制動力調整機構（ブレーキ機構）６ＦＲ〜６ＲＬにより制動力を付加させることにより、差動制限の不足分を補うことができる。
また、空転車輪の空転状態に応じた大きさの制動力を付加させることにより、空転車輪の回転を適正に制御することができる。
【００３９】
〈第２実施形態〉
次に、本発明の第２実施形態について、図面を用いて説明する。
図５〜図７は、本発明の第２実施形態にかかる差動制限機構の制御装置を示すもので、図５はその差動制限機構の制限制御領域を説明する図、図６はその制御ブロック図、図７はその制御を説明するフローチャートである。これらの図を参照して説明する。なお、駆動系の構成については図１を流用して説明する。
【００４０】
〔車両の操舵系の構成〕
図１において、操舵角センサ２２に替えて、ステアリングホイールの操舵角速度ｄθを検出する操舵角速度検出手段としての操舵角速度センサ２４（二点鎖線で示す）を備え、操舵角速度センサ２４により検出された操舵角速度ｄθは、車両ＥＣＵ１０に入力される。なお、この操舵角速度ｄθは、車両ＥＣＵ１０に入力される操舵角センサ２２により検出された操舵角θを時間微分することで算出する構成としてもよい。
また、ステアリングホイールを通じたシャフトの操舵トルクを検出する操舵トルク検出手段としての操舵トルクセンサ２３を備え、操舵トルクセンサ２３により検出された操舵トルクτは、車両ＥＣＵ１０に入力される。
【００４１】
〔ＬＳＤ統合制御〕
ところで、図５は、操舵角速度ｄθに対して、取りうるドライバの操舵トルクτと、その際のＬＳＤの動作の是非を示している。
なお、図５に実線で示す直線は、操舵角速度ｄθに対応した操舵トルクτの基準相関関係を示している。この基準相関関係は、ある操舵角速度ｄθで操舵するのに必要な操舵トルクτ（以下、基準トルクという）の対応関係の一例を示したものであり、ここでは簡略して直線で示すが、直線とは限らない。また、この基準相関関係は、中立（操舵角θ＝０）を基準にした場合のものであり、所定の（０以外の）操舵角θを基準に考えた場合には、基準保舵トルク（図２参照）分だけ基準相関関係は（図５中の直線が上下に）シフトまたは変形する。基準相関関係は、操舵角速度ｄθの大きさが大きくなるほど操舵トルクτの大きさも増大する。また、この相関関係は車速に依存しても変化する。
【００４２】
ここで、操舵トルクτの方向と操舵角速度ｄθの方向とが等しい状態から、ＬＳＤ５の作動によりトルクステアが発生して操舵反力が変化して反転し、ドライバに要求される操舵トルクの方向が反転すると、ドライバはステアリングホイールに旋回方向と逆向きの操舵トルクを加えなければならない。このように、ＬＳＤ５の作動により、操舵トルクτの方向と操舵角速度ｄθの方向とが異なるようになると（図５のＬＳＤトルク低減領域）、操舵フィーリングが悪化する。
【００４３】
そこで、本装置では、図６に示すように、制御手段としての車両ＥＣＵ１０が、操舵トルクτの方向と操舵角速度ｄθの方向とが異なった運転領域では、ＬＳＤ５の制御量を減少させるようにしている。ただし、図示するように、操舵トルクτの方向と操舵角速度ｄθの方向とが異なった運転領域であっても、操舵角速度ｄθが小さい領域では、舵角保舵感を重視し、ＬＳＤ５の制御量は制限されない。すなわち、操舵角速度ｄθが一定以上であり、かつ、操舵トルクτの方向と操舵速度角ｄθの方向とが異なった際にのみ、ＬＳＤ５の制御量を減少させるようになっている。
【００４４】
つまり、車両ＥＣＵ１０は、入力される操舵角速度センサ２４により検出された操舵角速度ｄθを０と比較して符号（正負）を判定し、操舵トルクセンサ２３により検出された操舵トルクτを０と比較して符号（正負）を判定し、操舵角速度ｄθの符号と操舵トルクτの符号とが不一致であるかを判定する。これとともに、操舵角速度ｄθの絶対値が閾値（ｄθｔｈ）以上かどうかを判定する（つまり、ＬＳＤトルク低減領域であるか否かを判定する）。操舵角速度ｄθの符号と操舵トルクτの符号とが不一致であり、且つ、操舵角速度ｄθの絶対値が閾値（ｄθｔｈ）以上であれば、ＬＳＤ低減領域であると判定する。ＬＳＤトルク低減判定時には、ＬＳＤ５の制御量（差動制御量）に制御ゲイン（＜１）を乗算し減少させるようにしている。
これらの構成以外は、第１実施形態と同様の構成である。
【００４５】
〔作用及び効果〕
本発明の第２実施形態にかかる差動制限機構の制御装置は、上述のように構成されるので、例えば、図７に示すような制御が車両ＥＣＵ１０により行なわれる。
まず、ドライバの入力する操舵角速度ｄθ及び操舵トルクτを読み込む（ステップＳ２０）。そして、操舵角速度ｄθの符号と操舵トルクτの符号とが不一致かどうかを判定し（ステップＳ２１）、且つ、操舵角速度ｄθの絶対値が閾値（ｄθｔｈ）よりも大きいかどうかを判定する（ステップＳ２２）。操舵角速度ｄθと操舵トルクτの符号が不一致、且つ、操舵角速度ｄθの絶対値が閾値（ｄθｔｈ）よりも大きい場合、ＬＳＤ５を通常よりも制御量を低下させて動作させ（ステップＳ２３）、操舵角速度ｄθの符号と操舵トルクτの符号とが一致、または、操舵角速度ｄθの絶対値が閾値（ｄθｔｈ）よりも小さい場合、ＬＳＤ５を通常の制御量で動作させる（ステップＳ２４）。
また、ＬＳＤ５を動作制限した場合には、いずれかの車輪が空転しているかを判定し（ステップＳ２５）、空転車輪があれば空転した車輪に対して制動力調整機構（ブレーキ機構）６ＦＲ〜６ＲＬによりブレーキを作動させ（ステップＳ２６）、制御フローを終了する（ＥＮＤ）。
【００４６】
本発明の第２実施形態にかかる差動制限の制御装置は、上述のように構成され、作用するため、以下のような効果を奏する。
車両ＥＣＵ１０は、操舵角速度センサ２４により検出した操舵角速度ｄθの方向と、操舵トルクセンサ２３により検出した操舵トルクτの方向とが異なった際に、ＬＳＤ５の制御量（差動制限量）を減少させるため、トルクステアによる極端な操舵反力変化を抑制することができ、操舵フィーリングを良好に維持することができる。
例えば、ＬＳＤ５が作動して操舵反力変化が発生し、ステアリングホイールの操舵角速度ｄθの方向に対し、ドライバにより入力される操舵トルクτの方向が異なった場合、ドライバに違和感を与える。
【００４７】
また、スラローム走行中のように、操舵トルクτを基準トルクよりも増加させて、基準トルクと反対方向に操舵トルクを加えるような素早い切り戻し操舵である高周波数領域の操舵を行なう際に、差動制限機構が作動して操舵反力変化が発生すると、ドライバに違和感を与えることがある。
これに対して、操舵角速度ｄθの方向と操舵トルクτの方向とが異なる場合、ＬＳＤ５の制御量（差動制限量）を減少させるので、上記の操舵反力変化を抑制することができ、操舵フィーリングを良好に維持することができる。
【００４８】
もちろん、操舵角速度ｄθの方向と、操舵トルクτの方向とが同じ場合は、ＬＳＤ５の動作制限は行なわないので、ＬＳＤ５による差動制限を十分に利用して、高速走行時の安定性及び加速性等を向上することができる。
【００４９】
〔その他〕
以上、本発明の実施形態について説明したが、本発明は上述の実施形態に限定されるものではなく、本発明の趣旨を逸脱しない範囲で種々変形して実施することができる。
例えば、本実施形態では、ＦＦ車について説明したが、ＦＲ車（フロントエンジン・リヤドライブ車），ＲＲ車（リヤエンジン・リヤドライブ車）及び４ＷＤ車（４輪駆動）についても、ＬＳＤが装備されている車両であればいずれも本発明を適用することができる。
また、第１実施形態では、操舵角θの方向と操舵トルクτの方向とが異なった際に、ＬＳＤ５の制御量を減少させ、第２実施形態では、操舵角速度ｄθの方向と操舵トルクτの方向とが異なった際に、ＬＳＤ５の制御量を減少させるものを示したが、これらの制御を組み合わせて行なってもよい。
【００５０】
すなわち、操舵角θの方向と操舵トルクτの方向とが異なった際にも、操舵角速度ｄθの方向と操舵トルクτの方向とが異なった際にも、車両ＥＣＵ１０は、ＬＳＤ５の制御量を減少させることとしてもよい。
また、上記の実施形態では、ＬＳＤ５の直接的な制御はＬＳＤコントローラ１１により、各車輪４ＦＲ〜４ＲＬの直接的な制動制御はブレーキコントローラ１２により、それぞれ行なっているが、車両ＥＣＵ１０にＬＳＤコントローラ１１の機能やブレーキコントローラ１２の機能を持たせて何れの制御も車両ＥＣＵ１０により一括して行なうなど、制御装置（制御手段）の構成は種々考えられる。
【産業上の利用可能性】
【００５１】
本発明は、差動制限機構（ＬＳＤ）を備えた車両に広く適用することができる。
【符号の説明】
【００５２】
１      エンジン（内燃機関）
２      トランスミッション
２ｂ    ベベルギア
３      差動機構（Differential）
４ＦＲ，４ＦＬ  前輪
５      ＬＳＤ（差動制限機構）
６ＦＲ〜６ＲＬ  ブレーキ機構（制動力調整機構）
１０    車両ＥＣＵ（制御手段）
１１    ＬＳＤコントローラ
１２    ブレーキコントローラ
２１ＦＲ〜２１ＲＬ  車輪速センサ
２２    操舵角センサ（操舵角検出手段）
２３    操舵トルクセンサ（操舵トルク検出手段）
２４    操舵角速度センサ（操舵角速度検出手段）
３１    デフケース
５１    多板クラッチ
【図１】
0005640581.tif 000002
【図２】
0005640581.tif 000003
【図３】
0005640581.tif 000004
【図４】
0005640581.tif 000005
【図５】
0005640581.tif 000006
【図６】
0005640581.tif 000007
【図７】
0005640581.tif 000008